(57)【要約】【課題】包装用シートを用いることなく、肌に接する側となる表面シートを露出することなく折り畳み状態に保持する。【解決手段】液透過性の表面シート２１と、液不透過性の防漏シート２２と、これらの表面シート２１および防漏シート２２間に介在された液保持性の吸収体２３と、からなる縦長状の本体２を有する吸収性物品、例えば、生理用ナプキン１において、本体２が折り込まれて複数層に重なるとともに、複数層に重なった本体２の表面シート２１および防漏シート２２の左右各側縁の重なり部分がそれぞれ接着されている。【選択図】  図２
2004148102.tif 000002
【特許請求の範囲】
【請求項１】
液透過性の表面シートと、液不透過性の防漏シートと、これらの表面シートおよび防漏シート間に介在された液保持性の吸収体と、を含む縦長状の本体を少なくとも有する吸収性物品において、本体が複数層に重なるように折り畳まれるとともに、折り畳まれた本体の表面シートおよび防漏シートの左右各側縁の重なり部分がそれぞれ接着されていることを特徴とする吸収性物品。
【請求項２】
前記本体の表面シートおよび防漏シートの左右各側縁からウイング部がそれぞれ延出されていることを特徴とする請求項１記載の吸収性物品。
【請求項３】
前記各ウイング部が表面シート側にそれぞれ折り込まれて、その外面に粘着剤が塗布されるとともに、両ウイング部の粘着剤塗布部にまたがって離型紙が貼着されていることを特徴とする請求項２記載の吸収性物品。
【請求項４】
前記防漏シートの少なくとも一部に粘着剤が塗布されるとともに、粘着剤塗布部には離型紙が貼着されていることを特徴とする請求項１または２記載の吸収性物品。
【発明の詳細な説明】
【技術分野】
【０００１】
本発明は、使用者が下着とともに狭い股間において着用する生理用ナプキン、失禁用パット、おりもの処理用パットなどの吸収性物品に関するものである。
【背景技術】
【０００２】
一般に、生理用ナプキンなどの吸収性物品は、基本的に、液透過性の表面シートと、液不透過性の防漏シートと、これらの表面シートおよび防漏シート間に介在された液保持性の吸収体と、からなる縦長状の本体を少なくとも有している。そして、吸収性物品は、本体の前後端縁および左右端縁からそれぞれ外方に延出する大きさの包装用シート上に、その防漏シート側が接するように配置され、長手方向にいわゆる三つ折り、すなわち、本体の前方部が包装用シートの前方部とともに折り畳まれて、本体の中間部に重ねられた後、本体の後方部が包装用シートの後方部とともに折り畳まれて、先に折り畳まれた包装用シートの前方部に重ねられて三層重ねされ、個別に包装されている（例えば、特許文献１、特許文献２参照）。
【特許文献１】特開平９−１０２５７号公報
【特許文献２】特開平９−３２７４７８号公報
【発明の開示】
【発明が解決しようとする課題】
【０００３】
しかしながら、吸収性物品が包装用シートによって個別に包装されていることにより、折り畳まれた吸収性物品が周囲に接触しないように、特に、肌に接することになる表面シートを露出させることなく折り畳み状態に保持することができるものの、吸収性物品の使用に際しては、包装用シートを開封しなければならず、また、開封された包装用シートは、廃棄物として処理されることになる。
【０００４】
このように、吸収性物品を個別に包装する包装用シートは、資源を消費するばかりでなく、その処理費用を必要とするものである。
【０００５】
本発明は、このような問題点に鑑みてなされたものであり、包装用シートを用いることなく使用前の折り畳み状態に保持することのできる吸収性物品を提供するものである。
【課題を解決するための手段】
【０００６】
本発明は、液透過性の表面シートと、液不透過性の防漏シートと、これらの表面シートおよび防漏シート間に介在された液保持性の吸収体と、を含む縦長状の本体を少なくとも有する吸収性物品において、本体が複数層に重なるように折り畳まれるとともに、折り畳まれた本体の表面シートおよび防漏シートの左右各側縁の重なり部分がそれぞれ接着されていることを特徴とするものである。
【０００７】
本発明によれば、本体を複数層に重なるように折り畳んで、それらの左右各側縁の重なり部分を接着することにより、肌に接する側の表面シートを外方に露出することなく折り畳み状態に保持することができる。
【０００８】
この結果、吸収性物品を個別に包装する包装用シートが不要となり、その分省資源となるとともに、処理費用が不要となる。
【０００９】
本発明において、前記本体の表面シートおよび防漏シートの左右各側縁からウイング部がそれぞれ延出されていると、各ウイング部を下着の外面側に折り返すことにより、本体の、接着部となった左右各側縁部分を下着の外方に折り返すことができる。このため、接着部が肌に接触して不快感を覚えることがない。
【００１０】
本発明において、前記各ウイング部が表面シート側にそれぞれ折り込まれて、その外面に粘着剤が塗布されるとともに、両ウイング部の粘着剤塗布部にまたがって離型紙が貼着されていると、ウイング部を表面シート側に折り込んだ状態に保持することができる。また、離型紙を剥離して各ウイング部を下着の外方にそれぞれ折り返すことにより、その粘着剤塗布部を介して下着の外面に各ウイング部を貼着することができる。このため、吸収性物品を下着に対して移動しないように固定することができる。
【００１１】
本発明において、前記防漏シートの少なくとも一部に粘着剤が塗布されるとともに、粘着剤塗布部には離型紙が貼着されていると、吸収性物品の使用時において、離型紙を剥離することにより、粘着剤によって吸収性物品を下着に貼着することができ、吸収性物品を下着に対して移動しないように固定することができる。
【発明の効果】
【００１２】
本発明によれば、包装用シートを用いることなく生理用ナプキンなどの吸収性物品を折り畳み状態に保持することができることから、吸収性物品を個別に包装する包装用シートが不要となり、その分省資源となるとともに、その処理費用が不要となる。
【発明を実施するための最良の形態】
【００１３】
以下、本発明の実施の形態を図面に基づいて説明する。
【実施例１】
【００１４】
図１および図２には、本発明の吸収性物品である生理用ナプキン１の一実施形態が示されている。
【００１５】
この生理用ナプキン１は、縦長状の本体２と、本体２の略中間部２Ｂにおいて、本体２の左右各側縁とそれぞれ一体化された略台形状の一対のウイング部３とから構成されている。そして、本体２は、液透過性の表面シート２１と、液不透過性の防漏シート２２と、これらの表面シート２１および防漏シート２２間に介在された液保持性の吸収体２３と、を含み、本体２の表面シート２１および防漏シート２２の左右各側縁に各ウイング部３がそれぞれ延設されている。
【００１６】
なお、各ウイング部３は、通常、表面シート２１に接するように折り込まれており、その表面には粘着剤が塗布された粘着剤塗布部３ａを有している。また、左右のウイング部３の粘着剤塗布部３ａにまたがって離型紙４が貼着されて、各ウイング部３が本体２の左右側縁から幅方向外方に延出しないように、表面シート２１と接する位置に保持されている。
【００１７】
また、防漏シート２２もその表面に粘着剤が塗布された粘着剤塗布部２２ａを長手方向にわたって有しており、この粘着剤塗布部２２ａにも離型紙５が貼着されている。
【００１８】
なお、ウイング部３を、表面シート２１に接続するのに代えて、防漏シート２２に接続することもできる。例えば、本体２の左右各側縁２４において、表面シート２１が防漏シート２２の一部を覆っている場合、ウイング部３を表面シート２１で覆われていない防漏シート２２に接続してもよい。
【００１９】
一方、生理用ナプキン１は、本体２の表面シート２１上に各ウイング部３が折り込まれて重なった状態で三つ折りされている。具体的には、図３において、本体２の一方の端部２Ａが線Ａに沿って折り畳まれて、表面シート２１同士が接した状態で中間部２Ｂに重ねられた後、他方の端部２Ｃが線Ｂに沿って折り畳まれて、その表面シート２１が先に折り畳まれた一方の端部２Ａの防漏シート２２に重ねられて三層重ねされている。そして、三つ折りされて三層重ねされた生理用ナプキン１は、本体２の表面シート２１および防漏シート２２の左右各側縁２４の重なり部分がそれぞれ熱溶着あるいは超音波溶着などによって接着されていることから、肌に接する側の表面シート２１が露出しないように被覆されるとともに、その被覆状態に保持されている。
【００２０】
この場合、一方の端部２Ａの表面シート２１と中間部２Ｂの表面シート２１との接着強度は、ウイング部３と表面シート２１との接着強度よりも弱く設定されている。また、他方の端部２Ｃの表面シート２１と一方の端部２Ａの防漏シート２２との接着強度は、ウイング部３と表面シート２１との接着強度よりも弱く設定されている。さらに、一方の端部２Ａの表面シート２１とウイング部３が接着されている場合、その接着強度は、ウイング部３と中間部２Ｂの表面シート２１または防漏シート２２との接着強度より弱く設定される。
【００２１】
この結果、生理用ナプキン１は、肌に接する表面シート２１を内方に隠蔽した状態で三つ折りされて三層重ねされるとともに、左右各側縁２４が接着されて三層重ね状態に保持されていることから、包装用シートが不要となり、その分省資源となるとともに、処理費用が不要となる。
【００２２】
次に、このように構成された生理用ナプキン１の使用方法について説明する。
【００２３】
まず、三つ折り状態に保持された生理用ナプキン１を取り出し、本体２の他方の端部２Ｃの先端を摘んで、その折り畳み方向とは逆方向に折り返すことにより、他方の端部２Ｃの表面シート２１および防漏シート２２の左右各側縁２４を、一方の端部２Ａの表面シート２１および防漏シート２２の左右各側縁２４との接着部から剥離させ、他方の端部２Ｃを中間部２Ｂに連続するように展開させる。同様に、本体２の一方の端部２Ａの先端を摘んで、その折り畳み方向とは逆方向に折り返すことにより、一方の端部２Ａの表面シート２１および防漏シート２２の左右各側縁２４を、中間部２Ｂの表面シート２１および防漏シート２２の左右各側縁２４との接着部から剥離させ、一方の端部２Ａを中間部２Ｂに連続するように展開させる（図３参照）。
【００２４】
この後、防漏シート２２に貼着されている離型紙５を粘着剤塗布部２２ａから剥離し、粘着剤塗布部２２ａを下着の股部内面に貼着する。次いで、左右のウイング部３の粘着剤塗布部３ａ間にわたって貼着されている離型紙４を剥離した後、各ウイング部３を下着のクロッチ部回りに折り返して、下着の外面に貼着することにより、生理用ナプキン１を下着に対して移動しないように装着することができる。
【００２５】
この際、各ウイング部３を外方に折り返すことにより、本体２の表面シート２１および防漏シート２２の左右各側縁２４のうち、接着部となった中間部２Ｂの左右各側縁２４がウイング部３とともに下着の外方にそれぞれ折り込まれることにより、接着部が肌に接触して不快感を覚えることがない。
【００２６】
なお、前述した実施形態においては、ウイング部３を有する生理用ナプキン１について説明したが、生理用ナプキン１に限定するものではなく、また、使用状況によっては、ウイング部３を必ずしもの必要とするものではない。
【００２７】
また、ウイング部３を本体２の中間部２Ｂに設けた場合を例示したが、下着に移動しないように装着できればよいことから、一方の端部２Ａあるいは他方の端部２Ｃにウイング部３を設けてもよく、その取付位置を限定するものではない。
【００２８】
さらに、生理用ナプキン１を三つ折りして三層重ねした場合を例示したが、二つ折りであっても、四つ折りであってもよい。
【００２９】
さらにまた、ウイング部３を本体２の中間部２Ｂに設けて、各ウイング部３の折り返し時に接着部となる中間部２Ｂの左右各側縁２４を下着の外面側にそれぞれ折り返す場合を説明したが、ウイング部３の裾部分を長くするなどして、本体２の左右各側縁２４全体を下着の外面にそれぞれ折り返すようにすることが好ましい。
【実施例２】
【００３０】
ところで、図５および図６には、本発明の吸収性物品である生理用ナプキン１の他の実施形態が示されている。
【００３１】
この生理用ナプキン１も、液透過性の表面シート２１と、液不透過性の防漏シート２２と、これらの表面シート２１および防漏シート２２との間に介在された液保持性の吸収体２３と、を含む縦長状の本体２を有している。そして、防漏シート２２は、縦長方向の一方の端部に粘着剤が塗布された粘着剤塗布部２２ａを有しており、粘着剤塗布部２２ａには離型紙５ａが貼着されている。
【００３２】
ここで、生理用ナプキン１は、離型紙５ａが外方に露出することなく三つ折りされている。具体的には、図６に示すように、本体２の一方の端部２Ａは線Ａで折り畳まれて、表面シート２１が接した状態で中間部２Ｂに重ねられ、他方の端部２Ｃは線Ｂで折り畳まれて、三つ折りの生理用ナプキン１が形成される。この結果、図５（ｂ）に示すように、粘着剤塗布部２２ａおよび離型紙５ａは外方に露出せず、他方の端部２Ｃの表面シート２１と離型紙５ａが接するように重ねられる。そして、三つ折りされて三層重ねされた生理用ナプキン１は、本体２の表面シート２１および防漏シート２２の左右各側縁２４の重なり部分が熱溶着や超音波接着、あるいは、接着剤などによって接着されている。このため、肌に接する側の表面シート２１が露出しないように被覆されるとともに、その被覆状態に保持されている。
【００３３】
なお、この実施形態では、粘着剤塗布部２２ａを本体２の一方の端部に設けた場合を説明したが、粘着剤塗布部２２ａを本体２の両端部に設けてもよく、防漏シート２２の少なくとも一部に設けてあればよい。また、本体２が折り畳まれたときに、離型紙５ａが外方に露出している状態であってもよい。さらに、本体２は、前述したように、ウイング部を備えていてもよい。
【実施例３】
【００３４】
一方、図７および図８には、本発明の吸収性物品である生理用ナプキン１のもう一つの実施形態が示されている。
【００３５】
この生理用ナプキン１も、液透過性の表面シート２１と、液不透過性の防漏シート２２と、これらの表面シート２１および防漏シート２２との間に介在された液保持性の吸収体２３と、を含む縦長状の本体２を有している。そして、防漏シート２２は、縦長方向の両端部に粘着剤が塗布された粘着剤塗布部２２ａ，２２ｂを有しており、粘着剤塗布部２２ａ、２２ｂにはそれぞれ離型紙５ａ，５ｂが貼着されている。
【００３６】
ここで、生理用ナプキン１は、離型紙５ａ，５ｂが外方に露出することなく四つ折りされている。具体的には、図８に示すように、本体２の一方の端部２Ａが線Ａで折り畳まれて、表面シート２１同士が接した状態で中間部２Ｂに重ねられ、同様に、他方の端部２Ｃが線Ｂで折り畳まれて、表面シート２１同士が接した状態で中間部２Ｂ’に重ねられ、さらに、中間部２Ｂ，２Ｂ’が線Ｃで折り畳まれて、四つ折りの生理用ナプキン１が形成される。この結果、図７（ｂ）に示すように、粘着剤塗布部２２ａ，２２ｂおよび離型紙５ａ，５ｂは、外方に露出しない状態で折り畳まれている。そして、四つ折りされて四層重ねされた生理用ナプキン１は、本体２の表面シート２１および防漏シート２２の左右各側縁２４の重なり部分が熱溶着や超音波接着、あるいは、接着剤などによって接着されている。このため、肌に接する側の表面シート２１が露出しないように被覆されるとともに、その被覆状態に保持されている。
【００３７】
この実施形態では、粘着剤塗布部２２ａ，２２ｂを本体２の両端部に設けた場合を説明したが、粘着剤塗布部２２ａ，２２ｂは本体２の一端部のみに設けてもよく、防漏シート２２の少なくとも一部に設けてあればよい。また、本体２が折り畳まれたときに、離型紙５ａ，５ｂが外方に露出している状態であってもよい。その場合、離型紙５ａ，５ｂの露出している部分が、外側に折られていると、収納時にかさばらないので好ましい。さらに、本体２は、前述したように、ウイング部を備えていてもよい。
【００３８】
また、１枚の離型紙を粘着剤塗布部２２ａ，２２ｂの間に挟んで折り畳むこともできる。その場合、折り畳んだときに内包される空気の逃げ場を考慮して、粘着剤塗布部２２ａ，２２ｂの少なくともいずれか一方を、例えば、ストライプ形状、クロス形状、ドット形状などの形状にして、端部２Ａまたは２Ｃの全面が粘着剤塗布部となっていないことが好ましい。また、その場合、離型紙が外方に露出していると、使用の際に露出している部分の離型紙を摘むことができ、開封し易くなるので好ましい。離型紙の露出している部分が外側に折られていると、収納時にかさばらないので好ましい。
【産業上の利用可能性】
【００３９】
以上のように本発明によれば、生理用ナプキンなどの吸収性物品を、包装用シートを用いて個別に包装することなく、かつ、肌に接する側となる表面シートを露出することなく折り畳み状態に保持して提供することができる。
【図面の簡単な説明】
【００４０】
【図１】本発明の吸収性物品である生理用ナプキンの一実施形態を示す斜視図である。
【図２】図１の生理用ナプキンのＸ−Ｘ線断面図である。
【図３】図１の生理用ナプキンを使用するため接着部を剥離した状態を示す斜視図である。
【図４】図１の生理用ナプキンを下着に装着する状態を示す斜視図である。
【図５】本発明の吸収性物品である生理用ナプキンの他の実施形態を示す平面図およびそのＹ−Ｙ線断面図である。
【図６】図５の生理用ナプキンの接着部分を剥離した状態を示す平面図である。
【図７】本発明の吸収性物品である生理用ナプキンのもう一つの実施形態を示す平面図およびそのＺ−Ｚ線断面図である。
【図８】図７の生理用ナプキンの接着部分を剥離した状態を示す平面図である。
【符号の説明】
【００４１】
１  生理用ナプキン
２  本体
２Ａ  一方の端部
２Ｂ，２Ｂ’  中間部
２Ｃ  他方の端部
２１  表面シート
２２  防漏シート
２２ａ，２２ｂ  粘着剤塗布部
２３  吸収体
３  ウイング部
３ａ  粘着剤塗布部
４，５、５ａ，５ｂ  離型紙
【図１】
2004148102.tif 000003
【図２】
2004148102.tif 000004
【図３】
2004148102.tif 000005
【図４】
2004148102.tif 000006
【図５】
2004148102.tif 000007
【図６】
2004148102.tif 000008
【図７】
2004148102.tif 000009
【図８】
2004148102.tif 000010